(57)【要約】【課題】ユーザが外出先の印刷装置において、ユーザが通常使用する印刷装置と同様なサービスサーバによるサービスを受けることができる印刷システムを提供する。【解決手段】第１印刷装置は、中継サーバへ接続するための接続用認証情報を記憶する接続用認証情報記憶手段と、接続用認証情報を利用可能なユーザを特定するユーザ認証手段と、ユーザ認証手段により接続用認証情報を利用可能なユーザであると特定された場合、接続用認証情報を第２印刷装置へ送信し、第２印刷装置は、ユーザの認証情報を入力する認証情報入力手段と、ユーザの認証情報を第１印刷装置へ送信する認証情報送信手段と、第１印刷装置から受信した接続用認証情報に基づいて、インターネット回線によりサービスサーバからの電子ファイルの保存サービスを受けるための通信を行うサービス提供手段と、を備えた印刷システムとした。【選択図】図１
2012103972.tif 000002
【特許請求の範囲】
【請求項１】
インターネット回線に接続可能な第１通信手段及び公衆通信回線に接続可能な第２通信手段を有し、前記公衆通信回線により相互に接続される複数の印刷装置のうち、ユーザにより通常使用される印刷装置として設定された第１印刷装置と、
前記複数の印刷装置のうち、前記第１印刷装置以外の第２印刷装置と、
インターネット回線に接続可能であり、電子ファイルの保存サービスを提供する複数のサービスサーバと、
インターネット回線に接続可能であり、前記複数の印刷装置と前記複数のサービスサーバとの接続を中継する中継サーバと、
を備えた印刷システムであって、
前記第１印刷装置は、
前記中継サーバへ接続するための接続用認証情報を記憶する接続用認証情報記憶手段と、
前記接続用認証情報を利用可能なユーザを特定するための第１の認証情報を記憶する認証情報記憶手段と、
前記第１の認証情報と、前記第２印刷装置から前記インターネット回線と前記公衆通信回線との少なくともいずれか一方の回線を介して受信した第２の認証情報とに基づいて、前記接続用認証情報を利用可能なユーザを特定するユーザ認証手段と、
前記ユーザ認証手段により前記接続用認証情報を利用可能なユーザが特定された場合、前記接続用認証情報を前記インターネット回線と前記公衆通信回線との少なくともいずれか一方の回線を介して前記第２印刷装置へ送信する接続用認証情報送信手段と、を備え、
前記第２印刷装置は、
ユーザにより前記第２の認証情報が入力される認証情報入力手段と、
前記第２の認証情報を前記インターネット回線と前記公衆通信回線との少なくともいずれか一方の回線を介して前記第１印刷装置へ送信する認証情報送信手段と、
前記第１印刷装置から受信した前記接続用認証情報に基づいて、前記インターネット回線により前記電子ファイルの保存サービスを受けるための通信を行うサービス提供手段と、を備えたことを特徴とする印刷システム。
【請求項２】
前記第１印刷装置から前記第２印刷装置へ送信される前記接続用認証情報は、前記第１印刷装置において利用可能な前記電子ファイルの保存サービスから前記第２印刷装置において利用可能な前記電子ファイルの保存サービスを制限する制限情報を含むことを特徴とする請求項１に記載の印刷システム。
【請求項３】
前記第１印刷装置は、前記制限情報により制限される内容を変更可能としたことを特徴とする請求項２に記載の印刷システム。
【請求項４】
前記第１印刷装置は、前記第２印刷装置において提供された前記電子ファイルの保存サービスの、ユーザのＩＤ、利用日時、サービスサーバの名称、データ転送の区分及びデータの属性に関する情報のうち、少なくともひとつを含む情報を履歴として出力可能としたことを特徴とする請求項１〜３の何れか１項に記載の印刷システム。
【請求項５】
前記第２印刷装置は、前記第１印刷装置から受信した前記接続用認証情報を、所定の条件に基づいて自動的に削除することを特徴とする請求項１〜４のいずれか１項に記載の印刷システム。
【請求項６】
前記第２の認証情報は、前記公衆通信回線を介して取得したユーザの音声であり、前記ユーザ認証手段は、前記第１の認証情報を照合対象として前記ユーザの音声を照合することで、前記接続用認証情報を利用可能なユーザを特定することを特徴とする請求項１〜５のいずれか１項に記載の印刷システム。
【請求項７】
インターネット回線に接続可能な第１通信手段及び公衆通信回線に接続可能な第２通信手段を有し、前記公衆通信回線により相互に接続される複数の印刷装置のうち、ユーザにより通常使用される印刷装置として設定された第１印刷装置と、前記複数の印刷装置のうち、前記第１印刷装置以外の第２印刷装置と、を備えた印刷装置であって、
前記第１印刷装置は、
前記インターネット回線を介して電子ファイルの保存サービスを提供する複数のサービスサーバとの接続を中継する中継サーバへ接続するための接続用認証情報を記憶する接続用認証情報記憶手段と、
前記接続用認証情報を利用可能なユーザを特定するための第１の認証情報を記憶する認証情報記憶手段と、
前記第１の認証情報と、前記第２印刷装置から前記インターネット回線と前記公衆通信回線との少なくともいずれか一方の回線を介して受信した第２の認証情報とに基づいて、前記接続用認証情報を利用可能なユーザを特定するユーザ認証手段と、
前記ユーザ認証手段により前記接続用認証情報を利用可能なユーザであると特定された場合、前記接続用認証情報を前記インターネット回線と前記公衆通信回線との少なくともいずれか一方の回線を介して前記第２印刷装置へ送信する接続用認証情報送信手段と、を備え、
前記第２印刷装置は、
ユーザにより前記第２の認証情報が入力される認証情報入力手段と、
前記第２の認証情報を前記インターネット回線と前記公衆通信回線との少なくともいずれか一方の回線を介して前記第１印刷装置へ送信する認証情報送信手段と、
前記第１印刷装置から受信した前記接続用認証情報に基づいて、前記インターネット回線により前記電子ファイルの保存サービスを受けるための通信を行うサービス提供手段と、を備えたことを特徴とする印刷装置。
【発明の詳細な説明】
【技術分野】
【０００１】
本発明は、印刷装置を利用した印刷システム及び印刷装置に関する。
【背景技術】
【０００２】
従来から、読み取った画像や文書などの電子ファイルをサーバへアップロードする画像処理装置や、サーバからダウンロードした電子ファイルを印刷する印刷装置等が知られている。特許文献１には、読み取った画像の電子ファイルをサーバへアップロードするイメージスキャナを備えた画像処理装置の一例が記載されている。上記画像処理装置や印刷装置のメーカーは、電子ファイルのアップロードやダウンロードのサービスを提供するために、アップロードされる電子ファイルを格納するための専用のサーバを独自に用意する場合がある。
【０００３】
一方、近年では、サービス事業者が用意したネットワーク上のデータベースに電子ファイルを格納することができる電子ファイル格納サービスが普及している。例えば、Ｐｉｃａｓａ（登録商標）ウェブアルバムや、ｆｌｉｃｋｒ（登録商標）が、その一例である。ユーザは、ウェブブラウザを備えた端末装置を利用して、所望の電子ファイルを電子ファイル格納サービスにアップロードしたり、所望の電子ファイルを電子ファイル格納サービスからダウンロードしたりすることができる。
【０００４】
このような状況において、上述の画像処理装置で読み取った画像の電子ファイルを、メーカーが用意した専用のサーバではなく、サービス事業者が提供する電子ファイル格納サービスへアップロードすることが考えられる。
【先行技術文献】
【特許文献】
【０００５】
【特許文献１】特開２００５−２６９２５０号公報
【発明の概要】
【発明が解決しようとする課題】
【０００６】
サービス事業者が提供する電子ファイル格納サービスへ電子ファイルをアップロードするためには、ユーザが通常利用する画像処理装置や印刷装置（以下、印刷装置という）に予めユーザの認証情報を設定しておけばよい。そして、認証情報を設定した印刷装置によりサービス事業者のサーバに接続することで電子ファイル格納サービスなどの提供を受けることができる。しかし、ユーザが通常利用する印刷装置ではなく、例えば、外出先において同様な印刷装置を用いて、電子ファイル格納サービスを受けようとすると、ユーザの認証情報を外出先の印刷装置に設定する必要がある。これでは、ユーザの認証情報を設定する手間がかかるだけではなく、ユーザの認証情報が複数の印刷装置に設定されることになり、認証情報の漏洩にも繋がりかねないというセキュリティ上の問題がある。
【０００７】
本発明は、ユーザが外出先の印刷装置を用いて、簡単な操作で、なおかつセキュリティの高い安全な状態で、通常利用する印刷装置と同様なサービスの提供を受けることができる印刷システム及び印刷装置を提供することを目的とする。
【課題を解決するための手段】
【０００８】
請求項１に記載の発明は、インターネット回線に接続可能な第１通信手段及び公衆通信回線に接続可能な第２通信手段を有し、前記公衆通信回線により相互に接続される複数の印刷装置のうち、ユーザにより通常使用される印刷装置として設定された第１印刷装置と、前記複数の印刷装置のうち、前記第１印刷装置以外の第２印刷装置と、インターネット回線に接続可能であり、電子ファイルの保存サービスを提供する複数のサービスサーバと、インターネット回線に接続可能であり、前記複数の印刷装置と前記複数のサービスサーバとの接続を中継する中継サーバと、を備えた印刷システムであって、前記第１印刷装置は、前記中継サーバへ接続するための接続用認証情報を記憶する接続用認証情報記憶手段と、前記接続用認証情報を利用可能なユーザを特定するための第１の認証情報を記憶する認証情報記憶手段と、前記第１の認証情報と、前記第２印刷装置から前記インターネット回線と前記公衆通信回線との少なくともいずれか一方の回線を介して受信した第２の認証情報とに基づいて、前記接続用認証情報を利用可能なユーザを特定するユーザ認証手段と、前記ユーザ認証手段により前記接続用認証情報を利用可能なユーザが特定された場合、前記接続用認証情報を前記インターネット回線と前記公衆通信回線との少なくともいずれか一方の回線を介して前記第２印刷装置へ送信する接続用認証情報送信手段と、を備え、前記第２印刷装置は、ユーザにより前記第２の認証情報が入力される認証情報入力手段と、前記第２の認証情報を前記インターネット回線と前記公衆通信回線との少なくともいずれか一方の回線を介して前記第１印刷装置へ送信する認証情報送信手段と、前記第１印刷装置から受信した前記接続用認証情報に基づいて、前記インターネット回線により前記電子ファイルの保存サービスを受けるための通信を行うサービス提供手段と、を備えたことを特徴とする印刷システムとした。
【０００９】
また、請求項２に記載の発明は、請求項１に記載の印刷システムにおいて、前記第１印刷装置から前記第２印刷装置へ送信される前記接続用認証情報は、前記第１印刷装置において利用可能な前記電子ファイルの保存サービスから前記第２印刷装置において利用可能な前記電子ファイルの保存サービスを制限する制限情報を含むことを特徴とする。
【００１０】
また、請求項３に記載の発明は、請求項２に記載の印刷システムにおいて、前記第１印刷装置は、前記制限情報により制限される内容を変更可能としたことを特徴とする。
【００１１】
また、請求項４に記載の発明は、請求項１から３のいずれか１項に記載の印刷システムにおいて、前記第１印刷装置は、前記第２印刷装置において提供された前記電子ファイルの保存サービスの、ユーザのＩＤ、利用日時、サービスサーバの名称、データ転送の区分及びデータの属性に関する情報のうち、少なくともひとつを含む情報を履歴として出力可能としたことを特徴とする。
【００１２】
また、請求項５に記載の発明は、請求項１から４のいずれか１項に記載の印刷システムにおいて、前記第２印刷装置は、前記第１印刷装置から受信した前記接続用認証情報を、所定の条件に基づいて自動的に削除することを特徴とする。
【００１３】
また、請求項６に記載の発明は、請求項１から５のいずれか１項に記載の印刷システムにおいて、前記第２の認証情報は、前記公衆通信回線を介して取得したユーザの音声であり、前記ユーザ認証手段は、前記第１の認証情報を照合対象として前記ユーザの音声を照合することで、前記接続用認証情報を利用可能なユーザを特定することを特徴とする。
【００１４】
また、請求項７に記載の発明は、インターネット回線に接続可能な第１通信手段及び公衆通信回線に接続可能な第２通信手段を有し、前記公衆通信回線により相互に接続される複数の印刷装置のうち、ユーザにより通常使用される印刷装置として設定された第１印刷装置と、前記複数の印刷装置のうち、前記第１印刷装置以外の第２印刷装置と、を備えた印刷装置であって、前記第１印刷装置は、前記インターネット回線を介して電子ファイルの保存サービスを提供する複数のサービスサーバとの接続を中継する中継サーバへ接続するための接続用認証情報を記憶する接続用認証情報記憶手段と、前記接続用認証情報を利用可能なユーザを特定するための第１の認証情報を記憶する認証情報記憶手段と、前記第１の認証情報と、前記第２印刷装置から前記インターネット回線と前記公衆通信回線との少なくともいずれか一方の回線を介して受信した第２の認証情報とに基づいて、前記接続用認証情報を利用可能なユーザを特定するユーザ認証手段と、前記ユーザ認証手段により前記接続用認証情報を利用可能なユーザであると特定された場合、前記接続用認証情報を前記インターネット回線と前記公衆通信回線との少なくともいずれか一方の回線を介して前記第２印刷装置へ送信する接続用認証情報送信手段と、を備え、前記第２印刷装置は、ユーザにより前記第２の認証情報が入力される認証情報入力手段と、前記第２の認証情報を前記インターネット回線と前記公衆通信回線との少なくともいずれか一方の回線を介して前記第１印刷装置へ送信する認証情報送信手段と、前記第１印刷装置から受信した前記接続用認証情報に基づいて、前記インターネット回線により前記電子ファイルの保存サービスを受けるための通信を行うサービス提供手段と、を備えたことを特徴とする印刷装置とした。
【発明の効果】
【００１５】
本発明によれば、ユーザによる簡単な操作で、ユーザが通常利用する第１印刷装置おいて提供される複数のサービスサーバが提供する電子ファイルの保存サービスと同様なサービスを、第１印刷装置以外の第２印刷装置で受けることができる。
【図面の簡単な説明】
【００１６】
【図１】本実施形態に係る印刷システム及び印刷装置の構成の概略を示す図である。
【図２】印刷システム及び印刷装置の概略を示すブロック図である。
【図３】印刷システムの動作の一例を示すフローチャートである。
【図４】印刷システムの動作の一例を示すフローチャートである。
【図５】印刷システムの動作の一例を示すフローチャートである。
【図６】印刷システムの動作の一例を示すフローチャートである。
【図７】印刷システムの動作の一例を示すフローチャートである。
【図８】印刷システムの動作の一例を示すフローチャートである。
【図９】印刷システムの第１印刷装置に登録済みの接続用認証情報を示す図である。
【図１０】印刷システムの接続用認証情報管理テーブルの一例を示す図である。
【図１１】印刷システムのサービスアクセス用情報管理テーブルの一例を示す図である。
【図１２】印刷システムのサービス管理テーブルの一例を示す図である。
【図１３】印刷システムの履歴管理テーブルの一例を示す図である。
【発明を実施するための最良の形態】
【００１７】
以下に、本発明に好適な実施形態について図面に基づいて説明する。以下の説明では、本発明の印刷システム及び印刷装置ついて説明する。
【００１８】
［印刷システム及び印刷装置の概略］
図１及び図２を参照して本実施形態に係る印刷システム及び印刷装置の概略を説明する。図１は印刷システム及び印刷装置の構成の概略を示す図である。図２は印刷システム及び印刷装置の概略を示すブロック図である。
【００１９】
本実施形態における印刷システムは、図１に示すように、第１印刷装置１００、第２印刷装置２００と、中継サーバ３００及び複数のサービスサーバ４００とで構成されている。
【００２０】
第１印刷装置１００及び第２印刷装置２００は、具体的には、小型のデジタル複合機である。第１印刷装置１００及び第２印刷装置２００は、それぞれ、印刷機能、スキャナ機能、ＦＡＸ機能、コピー機能、通話機能などを備えている。
【００２１】
中継サーバ３００は、第１印刷装置１００及び第２印刷装置２００とサービスサーバ４００との電子ファイルのアップロードやダウンロードの管理を行うサーバである。中継サーバ３００は周知のサーバ機能を持った装置であればよく、例えば、第１印刷装置１００及び第２印刷装置２００のメーカーが、自社の印刷装置の普及のために用意したものである。
【００２２】
複数のサービスサーバ４００は、第１印刷装置１００及び第２印刷装置２００からの画像データやテキストデータなどの電子ファイルをアップロードしたりダウンロードしたりする電子ファイルの保存サービスを提供する。図１に示す複数のサービスサーバ４００は、例えば、Ｐｉｃａｓａ（登録商標）ウェブアルバムや、ｆｌｉｃｋｒ（登録商標）などの複数のサービス事業者が提供する。
【００２３】
第１印刷装置１００、第２印刷装置２００、中継サーバ３００及びサービスサーバ４００は、インターネット回線で接続されている。また、複数の印刷装置である第１印刷装置１００と第２印刷装置２００とは、公衆通信回線で相互に接続されている。なお、図１には、第１印刷装置１００と第２印刷装置２００しか記してないが、二つ以上の複数の印刷装置が接続されていてもよい。
【００２４】
上述した印刷システムの構成において、第１印刷装置１００は、当該第１印刷装置１００を使用するユーザが通常使用する印刷装置として設定されたものである。また、第２印刷装置２００は、第１印刷装置１００以外の、例えば、ユーザが外出先等で必要に応じて一時使用する印刷装置である。
【００２５】
上述した構成において、ユーザは、通常使用する第１印刷装置１００から複数のサービスサーバ４００へアクセスすることにより、電子ファイルの保存サービスを受けることができる。さらに、本実施形態においては、ユーザは第１印刷装置１００だけではなく、第２印刷装置２００から複数のサービスサーバ４００へアクセスすることにより電子ファイルの保存サービスを受けることができる。
【００２６】
以下、ユーザが、通常時に使用する第１印刷装置１００を用いて複数のサービスサーバ４００にアクセスする場合と、第２印刷装置２００を用いて複数のサービスサーバ４００とアクセスする場合との手順の概略を説明する。
【００２７】
まず、ユーザが、通常時に使用する第１印刷装置１００を用いて複数のサービスサーバ４００にアクセスする手順の概略を説明する。図１に示すように、第１印刷装置１００は、インターネット回線を介して、第１印刷装置１００に登録済みの接続用認証情報により中継サーバ３００へのアクセスを行う（矢印Ａ１，Ａ２参照）。中継サーバ３００は、サービスサーバ４００へアクセスする為の情報を第１印刷装置１００へ送信する。第１印刷装置１００は、インターネット回線を介して、中継サーバ３００からのサービスサーバ４００へアクセスする為の情報を用いて、複数のサービスサーバ４００へアクセスする（矢印Ａ２，Ｂ参照）。これにより、例えば、電子ファイル保存サービスなどを提供するサービスサーバ４００と第１印刷装置１００とがインターネット回線を介して接続される。そして、第１印刷装置１００からサービスサーバ４００への電子ファイルのアップロードや、サービスサーバ４００から第１印刷装置１００への電子ファイルのダウンロードなどの電子ファイルの保存サービスが実行される。
【００２８】
次に、ユーザが、外出先で使用する第２印刷装置２００を用いて複数のサービスサーバ４００にアクセスする手順の概略を説明する。図１に示すように、第２印刷装置２００からの通話によるユーザの音声が、公衆電話回線を介して、第１印刷装置１００に送られる（矢印Ｃ参照）。第１印刷装置１００は、第１印刷装置１００の記憶部に予め記憶されたユーザの音声と、第２印刷装置２００から送られたユーザの音声とによりユーザを認証する。第１印刷装置１００は、公衆電話回線を介して、ユーザの認証が成立すると第１印刷装置１００に登録されている中継サーバ３００へアクセスするための接続用認証情報を第２印刷装置２００へ送信する（矢印Ｄ参照）。
【００２９】
第２印刷装置２００は、第１印刷装置１００からの接続用認証情報を受信すると、インターネット回線を介して、受信した接続用認証情報により中継サーバ３００へのアクセスを行う（矢印Ｅ１，Ｅ２参照）。中継サーバ３００は、サービスサーバ４００へアクセスする為の情報を第２印刷装置２００へ送信する。第２印刷装置２００は、インターネット回線を介して、中継サーバ３００からのサービスサーバ４００へアクセスする為の情報を用いて、複数のサービスサーバ４００へアクセスする（矢印Ｅ１，Ｆ参照）。これにより、電子ファイル保存サービスを提供するサービスサーバ４００と第２印刷装置２００とがインターネット回線を介して接続される。そして、第２印刷装置２００からサービスサーバ４００への電子ファイルのアップロードや、サービスサーバ４００から第２印刷装置２００への電子ファイルのダウンロードなどの電子ファイルの保存サービスが実行される。
【００３０】
上述してきたように、本実施形態においては、ユーザが通常利用する第１印刷装置１００と外出先の第２印刷装置２００との間で、公衆通信回線によるユーザの音声により、ユーザの認証を行う。ユーザの認証に適合すると、ユーザが通常利用する第１印刷装置１００おいて、複数のサービスサーバ４００から提供される電子ファイルの保存サービスと同様なサービスを、外出先の第２印刷装置２００で受けることができる。なお、詳細は後述するが、ユーザが通常使用する第１印刷装置１００とユーザが外出先で一時使用する第２印刷装置２００とでは、複数のサービスサーバ４００へアクセスする条件が異なる。つまり、ユーザが通常使用する第１印刷装置１００では、ユーザが通常利用する複数のサービスサーバ４００へアクセスすることができる。一方、ユーザが外出先で一時使用する第２印刷装置２００では、第１印刷装置１００と比較して、ユーザが通常利用する複数のサービスサーバ４００へアクセスが制限される場合がある。
【００３１】
以下、図２を用いて、本実施形態における印刷システムのハードウェアの構成の概略を説明する。まず、第１印刷装置１００及び第２印刷装置２００のハードウェア構成について説明する。なお、第１印刷装置１００と第２印刷装置２００とは同一のハードウェア構成であるため、第２印刷装置２００のハードウェア構成において第１印刷装置１００と共通する構成については、同じ符号を付して説明は省略する。第１印刷装置１００は、インターネット通信部１１０と、制御部１２０と、記憶部１３０と、公衆回線通信部１４０と、表示部１５０と、印刷部１６０と、読取部１７０と、操作部１８０、メモリカードコントローラ１９０とを備えている。
【００３２】
インターネット通信部１１０は、インターネット回線に接続された中継サーバ３００及びサービスサーバ４００との通信を行うための機器である。インターネット通信部１１０としては、周知のネットワークカードを採用することが出来る。なお、インターネット通信部１１０は、インターネット回線に接続するための第１通信手段として機能する。
【００３３】
制御部１２０は、図示しないＣＰＵと、ＣＰＵに接続されたＲＯＭ及びＲＡＭを備えている。ＣＰＵは、ＲＯＭに記憶された各種プログラムにしたがって、第１印刷装置１００の動作を制御する。ＲＡＭは、各種データを一時的に記憶する記憶装置である。
【００３４】
また、制御部１２０は、ＲＯＭに記憶された各種プログラムを実行することでユーザ認証手段、接続用認証情報送信手段、認証情報送信手段、サービス提供手段などとして機能する。
【００３５】
記憶部１３０は、ＮＡＮＤ型フラッシュメモリ等の不揮発性の記憶装置である。記憶部１３０は、第１印刷装置１００のユーザを特定するためのユーザ特定情報と、各種の設定情報等を記憶する。なお、記憶部１３０としては、ＨＤＤ（Ｈａｒｄ  Ｄｉｓｋ  Ｄｒｉｖｅ）などを用いることもできる。また、記憶部１３０は、中継サーバ３００へアクセスするための接続用認証情報を記憶する接続用認証情報記憶手段として機能する。また、記憶部１３０は、ユーザを認証するための第１の認証情報を記憶する認証情報記憶手段として機能する。なお、本実施形態においては、後述の公衆回線通信部１４０から取得される第１の認証情報としてのユーザの音声を照合するための情報が、予め記憶部１３０の認証情報記憶手段に記憶されている。
【００３６】
公衆回線通信部１４０は、本実施形態における印刷システムにおいて、公衆通信回線により相互に接続された複数の印刷装置同士で、データの送受信を行うためのものである。具体的には、制御部１２０の指示により、公衆回線通信部１４０は、第２印刷装置２００から第１印刷装置１００へ第２の認証情報としてのユーザの音声を送信する認証情報送信手段として機能する。また、第１印刷装置１００から第２印刷装置２００へ接続用認証情報を送信する接続用認証情報送信手段として機能する。また、公衆回線通信部１４０は、公衆通信回線に接続するための第２通信手段である。なお、図示はしないが、第１印刷装置１００及び第２印刷装置２００は、例えば、互いの通話機能を実現するためのマイクとスピーカからなる受話器を備えている。特に、第２印刷装置２００の受話器は、第２の認証情報であるユーザの音声を入力するための認証情報入力手段として機能する。
【００３７】
表示部１５０は、周知のＬＣＤ等のディスプレイである。印刷部１６０は印刷機能を有し、制御部１２０の指示に従って、画像データなどの印刷を行う。読取部１７０はスキャナ機能を有し、ユーザにセットされた用紙に記録された画像を読み取る機器であり、制御部１２０の指示に従って、画像データなどの読取を行う。
【００３８】
操作部１８０は、例えばユーザにより操作される複数の操作ボタンであり、ユーザの押下操作に応じた信号を制御部１２０へ送信する装置である。ユーザは、操作部１８０を操作することにより当該第１印刷装置１００で所望する機能の指示を入力することができる。
【００３９】
メモリカードコントローラ１９０は、第１印刷装置１００に装着された図示しないメモリカードへの記憶の制御を行う。具体的には、制御部１２０の指示に従って、メモリカードへのデータの書込み、メモリカードに記憶されているデータの読み込み、データの削除等を行う。メモリカードには、所定形式の電子ファイルが記憶されている。
【００４０】
次に、中継サーバ３００についてのハードウェア構成について説明する。中継サーバ３００は、インターネット通信部３１０と、制御部３２０と、記憶部３３０とを備える。
【００４１】
インターネット通信部３１０は、インターネット回線に接続された第１印刷装置１００及び第２印刷装置２００やサービスサーバ４００との通信を行うための機器である。通信部２１０としては、周知のネットワークカードを採用することが出来る。
【００４２】
制御部３２０は、図示しないＣＰＵと、ＣＰＵに接続されたＲＯＭ及びＲＡＭを備えている。ＣＰＵは、ＲＯＭ及び記憶部３３０に記憶されたプログラムにしたがって、インターネット回線に接続された第１印刷装置１００及び第２印刷装置２００やサービスサーバ４００との通信を制御する。ＲＡＭは、各種データを一時的に記憶する記憶装置である。記憶部３３０は、上述したＨＤＤのような不揮発性の記憶装置である。記憶部３３０には、中継サーバ３００を制御する各種プログラムが記憶されている。
【００４３】
［印刷システムの動作の実施例］
以下、図３〜８を参照し、印刷システムの動作の実施例をさらに詳細に説明する。まず、図３に示す接続用認証情報取得フローにより、第２印刷装置２００が第１印刷装置から中継サーバ３００への接続用認証情報を取得する接続用認証情報取得フローを説明する。なお、接続用認証情報取得フローは、ユーザが外出先で第２印刷装置２００の操作部１８０（図２参照）を操作することで開始されるものである。
【００４４】
ユーザが、第２印刷装置２００の操作部１８０を操作して、第１印刷装置１００を発呼して接続用認証情報を要求する（ステップＳ１１）。具体的には、第２印刷装置２００の通話機能により第１印刷装置１００の電話番号へ電話をかける。このとき、単に第２印刷装置２００から第１印刷装置１００へ通話を要求するだけではなく、接続用認証情報を要求するための通話であることを、第２印刷装置２００から第１印刷装置１００へ知らせる。
【００４５】
第１印刷装置１００は、第２印刷装置２００からの発呼に応じて自動音声で応答する（ステップＳ１２）。この自動音声の応答にはユーザを認証するためのユーザの発話を促す要求が含まれる。第２印刷装置２００で自動音声を確認したユーザは発話を行う（ステップＳ１３）。このユーザの発話は、第２の認証情報として第１印刷装置１００に送信される。第１印刷装置１００は、ユーザの発話を受信すると第１印刷装置１００の記憶部１３０に予め記憶されている第１の認証情報であるユーザの音声と受信したユーザの音声とを照合する（ステップＳ１４）。このステップＳ１４の処理は、本実施形態におけるユーザ認証手段である。
【００４６】
第１印刷装置１００は、ステップＳ１４の音声照合により、ユーザの認証に失敗すると（ステップＳ１４：本人確認ＮＧ）、その旨を第２印刷装置２００にエラー時の音声として送信する。第２印刷装置２００は、エラー時の音声を受話すると（ステップＳ１５）、第１印刷装置１００と第２印刷装置２００との通信を切断して接続用認証情報取得フローを終了する。なお、１回の音声照合の失敗で接続用認証情報取得フローを終了するのではなく、所定回数（例えば、３回）の音声照合の失敗を契機として、接続用認証情報取得フローを終了するようにしてもよい。
【００４７】
一方、第１印刷装置１００は、ステップＳ１４の音声照合により、ユーザの認証に成功（ステップＳ１４：本人確認ＯＫ）すると、所定のトーン信号を第２印刷装置２００へ送信する（ステップＳ１６）。トーン信号の送信後に、第１印刷装置１００は、記憶部１３０に予め記憶されている中継サーバ３００へアクセスするための接続用認証情報を読み出して、第２印刷装置２００へ送信する準備を行う。
【００４８】
第１印刷装置１００の記憶部１３０には、第１の認証情報であるユーザの音声が複数登録されている。上記ステップＳ１４の音声照合では、複数登録されたユーザの中から一人のユーザを特定する。第１印刷装置１００は、記憶部１３０に記憶されている登録済みの接続用認証情報（図９参照）から、特定されたユーザに応じた接続用認証情報を決定する。図９に示すように、第１印刷装置１００の記憶部１３０に記憶されている登録済みの接続用認証情報は、「ＩＤ」、「利用者表示名」、「接続用認証情報」、「一時利用フラグ」、「受信日時」から構成されたデータである。この中から、例えば、ＩＤが１番のユーザが特定された場合は、ＩＤが１番の「利用者表示名」、「接続用認証情報」、「一時利用フラグ」が決定される。なお、「受信日時」は、第２印刷装置２００からＩＤが１番のユーザの音声を受信したときに、ユーザの音声を受信した日時に更新される。
【００４９】
第２印刷装置２００は、トーン信号を受信すると（ステップＳ１７）、第１印刷装置１００からの接続用認証情報の受信待ち状態とする（ステップＳ１８）。第２印刷装置２００は、接続用認証情報の受信準備が完了したことを、受信準備完了信号として第１印刷装置１００へ送信する（ステップＳ１９）。
【００５０】
第１印刷装置１００は、受信準備完了信号を受信すると（ステップＳ２０）、記憶部１３０に予め記憶されている中継サーバ３００へアクセスするための接続用認証情報を、第２印刷装置２００へ送信する（ステップＳ２１）。このステップＳ２１における、接続用認証情報の送信は、第１印刷装置１００から第２印刷装置２００への接続用認証情報送信手段である。このとき、第１印刷装置１００から第２印刷装置２００に送信される接続用認証情報には、接続用認証情報と、上述した「利用者表示名」、「一時利用フラグ」などが付されて送信される。第２印刷装置２００は、接続用認証情報を受信すると（ステップＳ２２）、接続用認証情報に付属して受信した各種情報や受信日時などを記憶部１３０に記憶する（ステップＳ２３）。そして、第２印刷装置２００は、第１印刷装置１００との通信を切断して接続用認証情報取得フローを終了する（ステップＳ２４）。
【００５１】
上述した手順で、ユーザが外出先で使用する第２印刷装置２００に、ユーザが通常使用する第１印刷装置１００が記憶している中継サーバ３００に接続するための接続用認証情報を送信することができる。これにより、ユーザが外出先で使用する第２印刷装置２００において、第１印刷装置１００と同様にサービスサーバ４００にアクセスすることができ、サービスサーバ４００からのサービスを第２印刷装置２００で受けることができる。
【００５２】
次に、図４及び図５に示すサービス利用フロー１及びサービス利用フロー２により、第２印刷装置２００がサービスサーバ４００からサービスを受けるための手順を説明する。なお、サービス利用フロー１及びサービス利用フロー２は、ユーザが外出先で第２印刷装置２００を用いて電子ファイルをサービスサーバ４００へアップロードする手順を一例として説明する。また、サービス利用フロー１及びサービス利用フロー２は、上述した接続用認証情報取得フローにおいて、第２印刷装置２００が第１印刷装置１００から接続用認証情報を取得した後に実行される。
【００５３】
図４に示すサービス利用フロー１において、ユーザは、第２印刷装置２００の表示部１５０に表示したメニューＧ１の項目の中から「クラウド」を選択する（ステップＳ３１）。ユーザによる項目の選択は、操作部１８０を操作することで行われる。なお、表示部１５０をタッチパネルなどで構成して、ユーザが表示部１５０に表示されるメニューＧ１から所定の項目をタッチすることで選択するようにしてもよい。
【００５４】
ユーザは、第２印刷装置２００の表示部１５０に表示したクラウドサービスＧ２において、「サービス接続」を選択する（ステップＳ３２）。続いて、ユーザは、第２印刷装置２００の表示部１５０に表示した利用者Ｇ３において、表示されている自分の利用者名「ｔａｒｏ．ｙａｍａｄａ」を選択する（ステップＳ３３）。第２印刷装置２００は、中継サーバ３００に、「接続用認証情報」、「一時利用フラグ」などで構成された認証情報を送信する（ステップＳ３４）。これにより、第２印刷装置２００から中継サーバ３００へのアクセスが開始される。
【００５５】
中継サーバ３００は、認証情報を受信すると（ステップＳ３５）、認証情報に基づいて中継サーバ３００の記憶部３３０に予め記憶されている接続用認証情報管理テーブル（図１０参照）を検索して、登録されている接続用認証情報か否かを判定する（ステップＳ３６）。中継サーバ３００の記憶部３３０に予め記憶されている接続用認証情報管理テーブルは、図１０に示すように、「ユーザＩＤ」、「接続用認証情報」から構成されたデータテーブルである。「ユーザＩＤ」は、ユーザに割り当てられた識別ＩＤであり、この「ユーザＩＤ」からユーザの名前を識別できる。「接続用認証情報」は、中継サーバ３００へアクセスするための識別コードであり、所定の桁数（例えば、十数桁）の数字や大文字・小文字のアルファベットの組み合わせで構成されたものである。
【００５６】
中継サーバ３００は、登録されている接続用認証情報ではないと判定すると（ステップＳ３６：Ｎｏ）、その旨を第２印刷装置２００へ送信する。第２印刷装置２００は、中継サーバ３００から登録されている接続用認証情報ではないとの判定を受信するとエラー表示を行う（ステップＳ３７）。このエラー表示では、第２印刷装置２００の表示部１５０（図１参照）にエラーメッセージなどを表示させて、ユーザに対して中継サーバ３００へのアクセスが失敗したことを知らせる。
【００５７】
一方、中継サーバ３００は、登録されている接続用認証情報であると判定すると（ステップＳ３６：Ｙｅｓ）、一時利用フラグがＯＮか否かを判定する（ステップＳ３８）。この一時利用フラグは、中継サーバ３００が、送られてきた接続用認証情報が、第１印刷装置１００と第２印刷装置２００とのどちらから送られてきたものであるかを判定するものである。中継サーバ３００は、一時利用フラグがＯＮであると判定すると（ステップＳ３８：Ｙｅｓ）、 一時利用可能なサービスサーバ４００のサービスを取得する（ステップＳ３９）。
【００５８】
本実施形態においては、第１印刷装置１００と第２印刷装置２００とでは、サービスサーバ４００から提供されるサービスの内容が異なる。例えば、第２印刷装置２００がサービスサーバ４００から提供されるサービスに数は、第１印刷装置１００がサービスサーバ４００から提供されるサービスの数より少ない。つまり、第２印刷装置２００がサービスサーバ４００から提供されるサービスには制限が設けられている。そのため、上記ステップＳ３９においては、サービスサーバ４００へのサービスアクセス用情報管理テーブル（図１１参照）から一時利用可能なサービスサーバ４００のサービスを取得する。
【００５９】
図１１に示すサービスサーバ４００へのサービスアクセス用情報管理テーブルは、「ユーザＩＤ」、「サービスＩＤ」、「サービスアクセス用情報」、「外出先利用」からなるデータテーブルである。「サービスＩＤ」は、サービスサーバ４００のサービスの識別コードである。「サービスアクセス用情報」は、サービスサーバ４００へアクセスして所定のサービスに接続するための情報である。「外出先利用」に「利用可」と設定されている場合は、第１印刷装置１００だけではなく第２印刷装置２００で受けることができるサービスサーバ４００からのサービスである。また、「外出先利用」に「利用不可」と設定されている場合は、第１印刷装置１００のみで受けることができるサービスサーバ４００からのサービスである。
【００６０】
すなわち、上記ステップＳ３９では、図１１に示すように、「ユーザＩＤ」が「０００００００１」の利用者は、「外出先利用」に「利用可」が設定されている「ＸＸＸＸ」及び「ＹＹＹＹ」の「サービスＩＤ」が選択される。つまり、中継サーバ３００は、一時利用フラグがＯＮの場合は、第２印刷装置２００からのアクセスであると判定して、一時利用可能なサービスサーバ４００のサービスを抽出する。
【００６１】
一方、中継サーバ３００は、一時利用フラグがＯＮではないと判定すると（ステップＳ３８：Ｎｏ）、利用可能なサービスサーバ４００の全サービスを取得する（ステップＳ４０）。中継サーバ３００は、上記ステップＳ３９又はステップＳ４０で取得された、サービスサーバ４００で利用可能なサービスのリストを第２印刷装置２００へ送信する（ステップＳ４１）。
【００６２】
第２印刷装置２００は、中継サーバ３００からサービスサーバ４００で利用可能なサービスのリストを受信すると（ステップＳ４２）、このリストを元に利用可能サービスＧ４のメニューを、表示部１５０に表示させる（ステップＳ４３）。そして、図５に示すサービス利用フロー２へ処理を移す。なお、中継サーバ３００から送られてくるサービスサーバ４００で利用可能なサービスのリストは、図１２に示すように、「サービスＩＤ」、「サービス名」、「アップロードＵＲＬ」、「ダウンロードＵＲＬ」、から構成されたデータテーブルである。「サービス名」は、例えば、ＸＸフォトのように、対応するサービスサーバ４００が電子ファイルのうちの画像データの保存サービスを行うことを示唆する名前である。「アップロードＵＲＬ」はサービスサーバ４００の電子ファイルのアップロード先のＵＲＬである。「ダウンロードＵＲＬ」はサービスサーバ４００の電子ファイルのダウンロード先のＵＲＬである。中継サーバ３００には、第１印刷装置１００及び第２印刷装置２００で利用することができるサービスサーバ４００のサービスが、図１２に示すデータテーブルとして記憶部３３０に記憶されている。
【００６３】
図５に示すサービス利用フロー２において、ユーザは、第２印刷装置２００の表示部１５０に表示されている利用可能サービスＧ４のメニューから、項目「ＸＸフォト」を選択する（ステップＳ４４）。そして、ユーザは、第２印刷装置２００の表示部１５０の表示に応じた各種操作を選択する（ステップＳ４５）。この各種操作は、サービスサーバ４００の利用サービスの内容を決定するものである。具体的には、ユーザは、第２印刷装置２００の表示部１５０に表示されている操作Ｇ５のメニューから、項目「アップロード」を選択し、さらに、第２印刷装置２００の表示部１５０に表示されているアップロードＧ６のメニューから、項目「メディア」を選択する。これにより、第２印刷装置２００は、メモリカードコントローラ１９０よりメモリカードに記憶されている画像データを読み取る。なお、画像データの読み取りは、第２印刷装置２００のスキャン機能を用いて読み取ることもできる。第２印刷装置２００は、読み取った画像データを表示部１５０に対象ファイル選択Ｇ７として表示させる。ユーザは、表示された対象ファイル選択Ｇ７からアップロードさせる画像データを選択する。
【００６４】
第２印刷装置２００は、ステップＳ４５の各種操作が終了すると、利用情報として中継サーバに送信する（ステップＳ４６）。この利用情報は、中継サーバ３００への接続用認証情報、ステップＳ４５の各種操作の結果としての利用サービスの内容、一時利用フラグなどで構成されている。
【００６５】
中継サーバ３００は、第２印刷装置２００からの利用情報を受信すると（ステップＳ４７）、中継サーバ３００の記憶部３３０に予め記憶されている接続用認証情報管理テーブル（図１０参照）を検索して、登録されている接続用認証情報か否かを判定する（ステップＳ４８）中継サーバ３００は、登録されている接続用認証情報ではないと判定すると（ステップＳ４８：Ｎｏ）、その旨を第２印刷装置２００へ送信する。第２印刷装置２００は、中継サーバ３００から登録されている接続用認証情報ではないとの判定を受信するとエラー表示を行う（ステップＳ４９）。このエラー表示では、第２印刷装置２００の表示部１５０（図１参照）にエラーメッセージなどを表示させて、ユーザに対して中継サーバ３００へのアクセスが失敗したことを知らせる。
【００６６】
一方、中継サーバ３００は、登録されている接続用認証情報であると判定すると（ステップＳ４８：Ｙｅｓ）、一時利用フラグがＯＮか否かを判定する（ステップＳ５０）。中継サーバ３００は、一時利用フラグがＯＮであると判定すると（ステップＳ５０：Ｙｅｓ）、第２印刷装置２００からの利用情報を利用履歴として記憶部３３０に保存する（ステップＳ５１）。この利用履歴は、図１３に示すように、中継サーバの履歴管理テーブルとして、「ユーザＩＤ」、「利用日時」、「サービス名」、「区分」、「詳細」の５項目から構成される。「ユーザＩＤ」はユーザを特定するデータ、「利用日時」は第２印刷装置２００においてはサービスサーバ４００のサービスを利用した日時を表すデータである。また、「サービス名」はサービスサーバ４００を特定するデータ、「区分」はサービスサーバ４００へ電子ファイルをアップロードしたかダウンロードしたかを表すデータ、「詳細」は詳細な電子ファイルのプロパディ情報である。なお、図１３の履歴管理テーブルは、第１印刷装置１００の要求により、中継サーバ３００から第１印刷装置１００に送信されて、第１印刷装置１００で印刷することができる。一方、中継サーバ３００は、一時利用フラグがＯＮではないと判定すると（ステップＳ５０：Ｎｏ）、ステップＳ５２へ処理を移す。
【００６７】
中継サーバ３００は、サービスサーバ４００へのリクエストフォーマットを生成して、第２印刷装置２００へ送信する（ステップＳ５２）。第２印刷装置２００は、中継サーバ３００からのサービスサーバ４００へのリクエストフォーマットを受信すると（ステップＳ５３）、サービスサーバ４００への電子ファイルのアップロード用リクエストを生成する（ステップＳ５４）。アップロード用リクエストは、中継サーバ３００からのサービスサーバ４００へのリクエストフォーマットに電子ファイルを合成したものである。サービスサーバ４００へのリクエストフォーマットはサービスサーバ４００ごとに異なる。このため、中継サーバ３００はサービスサーバ４００に応じたリクエストフォーマットを生成して第２印刷装置２００に送信する。これにより、第２印刷装置２００は、サービスサーバ４００毎に異なるリクエストフォーマットを記憶しておく必要がない。
【００６８】
第２印刷装置２００は、生成したアップロード用リクエストをサービスサーバ４００へ送信する（ステップＳ５５）。このステップＳ５５におけるアップロード用リクエストのサービスサーバ４００への送信は、インターネット回線を介して電子ファイルの保存サービスを実行するための通信を行うサービス提供手段である。サービスサーバ４００は、アップロード用リクエストを受信すると、アップロード用リクエストに含まれる電子ファイルを、サービスサーバ４００のデータベースに格納する（ステップＳ５６）。サービスサーバ４００はアップロードの結果を第２印刷装置２００へ送信する（ステップＳ５７）。
【００６９】
第２印刷装置２００は、サービスサーバ４００からのアップロードの結果を受信すると、表示部１５０にアップロードの完了画面を表示する（ステップＳ５８）。この処理が終了すると、サービス利用フロー２を終了する。
【００７０】
次に、図６に示す第２印刷装置２００の利用履歴出力フローを用いて、ユーザが、第２印刷装置２００によりサービスサーバ４００からのサービスの提供を受けた履歴を、第１印刷装置１００において印刷する手順を説明する。なお、この第２印刷装置２００の利用履歴出力フローは、第１印刷装置１００において実行される。
【００７１】
図６に示す利用履歴出力フローにおいて、ユーザは、第１印刷装置１００の表示部１５０に表示したメニューＧ１の所定の項目の中から「クラウド」を選択する（ステップＳ６１）。ユーザは、第１印刷装置１００の表示部１５０に表示したクラウドサービスＧ２において、「サービス接続」を選択する（ステップＳ６２）。続いて、ユーザは、第１印刷装置１００の表示部１５０に表示した利用者Ｇ３において、表示されている利用者「ｔａｒｏ．ｙａｍａｄａ」を選択する（ステップＳ６３）。ユーザは、第１印刷装置１００の表示部１５０に表示した設定Ｇ８において、表示されている「履歴出力」を選択する（ステップＳ６４）。
【００７２】
第１印刷装置１００は、認証情報として接続用認証情報を中継サーバ３００に送信する（ステップＳ６５）。中継サーバ３００は、第１印刷装置１００からの接続用認証情報を受信すると（ステップＳ６６）、中継サーバ３００の記憶部３３０に予め記憶されている接続用認証情報管理テーブル（図１０参照）を検索して、登録されている接続用認証情報か否かを判定する（ステップＳ６７）。中継サーバ３００は、登録されている接続用認証情報ではないと判定すると（ステップＳ６７：Ｎｏ）、その旨を第１印刷装置１００へ送信する。第１印刷装置１００は、中継サーバ３００から登録されている接続用認証情報ではないとの判定を受信するとエラー表示を行う（ステップＳ６８）。このエラー表示では、第１印刷装置１００の表示部１５０（図１参照）にエラーメッセージなどを表示させて、ユーザに対して中継サーバ３００へのアクセスが失敗したことを知らせる。
【００７３】
一方、中継サーバ３００は、登録されている接続用認証情報であると判定すると（ステップＳ６７：Ｙｅｓ）、中継サーバ３００は、第２印刷装置２００の利用履歴を記憶部３３０から取得して第１印刷装置１００に送信する（ステップＳ６９）。この利用履歴は、図１３に示すように、第２印刷装置２００においてはサービスサーバ４００のサービスを利用した履歴である。なお、中継サーバ３００は、第２印刷装置２００の利用履歴を第１印刷装置１００に送信した後は、この利用履歴を削除してもよい。
【００７４】
第１印刷装置１００は、中継サーバ３００から第２印刷装置２００の利用履歴を受信すると、この利用履歴の出力確認メッセージを表示部１５０に表示する（ステップＳ７０）。この利用履歴の出力確認メッセージは、外出先利用履歴Ｇ９に示すように、出力する印刷用紙の大きさに合わせて、印刷するページ数などで印刷するか否かをユーザに確認する。そして、ユーザにより印刷実行が選択されると（ステップＳ７１：Ｙｅｓ）、第２印刷装置２００の利用履歴の印刷を実行する（ステップＳ７２）。一方、ユーザにより印刷実行が選択されなかったとき（ステップＳ７１：Ｎｏ）は、利用履歴出力フローを終了する。
【００７５】
上述したように、第１印刷装置１００において、中継サーバ３００に記憶されているユーザによる第２印刷装置２００の利用履歴を受信して印刷することができる。これにより、ユーザは、外出先の第２印刷装置２００によりサービスサーバ４００のどのサービスを受けたか確かめることができる。また、後述する第２印刷装置２００の利用制限設定フロー（図７参照）で第２印刷装置２００がサービスサーバ４００からのサービスの提供の制限を変更する場合に参考とすることができる。
【００７６】
次に、図７に示す第２印刷装置２００の利用制限設定フローにより、第２印刷装置２００がサービスサーバ４００からのサービスの提供の制限を変更する手順を説明する。
【００７７】
図７に示す利用制限設定フローにおいて、ユーザは、第１印刷装置１００の表示部１５０に表示したメニューＧ１の所定の項目の中から「クラウド」を選択する（ステップＳ７５）。ユーザは、第１印刷装置１００の表示部１５０に表示したクラウドサービスＧ２において、「サービス接続」を選択する（ステップＳ７６）。続いて、ユーザは、第１印刷装置１００の表示部１５０に表示した利用者Ｇ３において、表示されている自分の利用者名「ｔａｒｏ．ｙａｍａｄａ」を選択する（ステップＳ７７）。ユーザは、第１印刷装置１００の表示部１５０に表示した設定Ｇ８において、表示されている「アクセス制限」を選択する（ステップＳ７８）。
【００７８】
第１印刷装置１００は、認証情報として接続用認証情報を中継サーバ３００に送信する（ステップＳ７９）。中継サーバ３００は、第１印刷装置１００からの接続用認証情報を受信すると（ステップＳ８０）、中継サーバ３００の記憶部３３０に予め記憶されている接続用認証情報管理テーブル（図１０参照）を検索して、登録されている認証情報か否かを判定する（ステップＳ８１）。中継サーバ３００は、登録されている接続用認証情報ではないと判定すると（ステップＳ８１：Ｎｏ）、その旨を第１印刷装置１００へ送信する。第１印刷装置１００は、中継サーバ３００から登録されている接続用認証情報ではないとの判定を受信するとエラー表示を行う（ステップＳ８２）。このエラー表示では、第１印刷装置１００の表示部１５０（図１参照）にエラーメッセージなどを表示させて、ユーザに対して中継サーバ３００へのアクセスが失敗したことを知らせる。
【００７９】
一方、中継サーバ３００は、登録されている接続用認証情報であると判定すると（ステップＳ８１：Ｙｅｓ）、中継サーバ３００は、アクセス制限設定をサービスアクセス用情報管理テーブル（図１１参照）を記憶部３３０から取得して第１印刷装置１００に送信する（ステップＳ８３）。
【００８０】
第１印刷装置１００は、中継サーバ３００からアクセス制限設定を受信すると、このアクセス制限設定を表示部１５０に表示する（ステップＳ８４）。このアクセス制限設定は、アクセス制限設定Ｇ１０に示すように、第２印刷装置２００で利用できるサービスサーバ４００のサービスの設定を、サービスＩＤ毎に変更することができる。そして、アクセス制限設定が変更されると（ステップＳ８５）、変更後のアクセス制限設定を中継サーバ３００に送信する（ステップＳ８６）。
【００８１】
中継サーバ３００は、第１印刷装置１００からの変更後のアクセス制限設定を受信すると、記憶部３３０に変更されたアクセス制限設定を登録する（ステップＳ８７）。そして、中継サーバ３００は、変更後のアクセス制限設定の登録結果を第１印刷装置１００に送信する（ステップＳ８８）。第１印刷装置１００は、中継サーバ３００から変更後のアクセス制限設定の登録結果を受信すると、完了画面を表示部１５０に表示させて（ステップＳ８９）、利用制限設定フローを終了する。
【００８２】
上述したように、第２印刷装置２００がサービスサーバ４００からのサービスの提供の制限を変更することができるので、例えば、ユーザが外出前に予め必要となるサービスサーバ４００からのサービスを有効とすることができる。
【００８３】
次に、図８に示す第２印刷装置２００の接続用認証情報自動削除フローにより、第２印刷装置２００が第１印刷装置１００より取得した接続用認証情報の自動削除の手順を説明する。
【００８４】
第２印刷装置２００は、サービスサーバ４００のサービスを利用した最終のアクセス日時を取得する（ステップＳ９１）。第２印刷装置２００は、現在の日時とサービスを利用した最終のアクセス日時とから経過時間を算出し、一定時間経過したか否かを判定する（ステップＳ９２）。第２印刷装置２００は、一定時間経過していないと判定すると（ステップＳ９２：Ｎｏ）、ステップＳ９１へ処理を移す。一方、第２印刷装置２００は、一定時間経過していると判定すると（ステップＳ９２：Ｙｅｓ）、第２印刷装置２００の記憶部１３０に記憶されている接続用認証情報を削除する（ステップＳ９３）。そして、第２印刷装置２００は、接続用認証情報自動削除フローを終了する。
【００８５】
このように、ユーザが外出先の第２印刷装置２００を利用する時に、第１印刷装置１００から取得した接続用認証情報は、一定時間が経過すると自動的に削除されるため、印刷システムを関係のない他のユーザに使用される可能性を低くすることができる。
【００８６】
なお、上述した実施形態においては、第１印刷装置１００の記憶部１３０に予め記憶しておくユーザを特定するための認証情報を音声としたが、本発明はこれに限定されるものではなく、ユーザを特定できるものであればよい。例えば、第２印刷装置２００のスキャナ機能で取得し、ＦＡＸ機能で第１印刷装置１００へ送信したユーザの指紋と、第１印刷装置１００の記憶部１３０に予め記憶されているユーザの指紋とを照合することで、ユーザの認証手段とすることもできる。
【００８７】
以上、本発明の実施形態のいくつかを図面に基づいて詳細に説明したが、これらは例示であり、当業者の知識に基づいて種々の変形、改良を施した他の形態で本発明を実施することが可能である。
【００８８】
本発明を、上述してきた実施形態を通して説明したが、本実施形態の印刷システム及び印刷装置によれば、以下の効果が期待できる。
【００８９】
（１）インターネット回線に接続可能なインターネット通信部１１０及び公衆通信回線に接続可能な公衆回線通信部１４０を有し、前記公衆通信回線により相互に接続される複数の印刷装置のうち、ユーザにより通常使用される印刷装置として設定された第１印刷装置１００と、複数の印刷装置のうち、第１印刷装置１００以外の第２印刷装置２００と、インターネット回線に接続可能であり、電子ファイルの保存サービスを提供する複数のサービスサーバ４００と、インターネット回線に接続可能であり、複数の印刷装置と複数のサービスサーバ４００との接続を中継する中継サーバ３００と、を備えた印刷システムであって、第１印刷装置１００は、中継サーバ３００へ接続するための接続用認証情報を記憶する接続用認証情報記憶手段（例えば、記憶部１３０）と、接続用認証情報を利用可能なユーザを特定するための第１の認証情報（例えば、ユーザの音声データ）を記憶する認証情報記憶手段（例えば、記憶部１３０）と、第１の認証情報と、第２印刷装置２００からインターネット回線と公衆通信回線との少なくともいずれか一方の回線を介して受信した第２の認証情報（例えば、ユーザの音声）とに基づいて、接続用認証情報を利用可能なユーザを特定するユーザ認証手段（図３のステップＳ１４）と、ユーザ認証手段により接続用認証情報を利用可能なユーザが特定された場合、接続用認証情報をインターネット回線と公衆通信回線との少なくともいずれか一方の回線を介して第２印刷装置２００へ送信する接続用認証情報送信手段（図３のステップＳ２１）と、を備え、第２印刷装置２００は、ユーザにより第２の認証情報が入力される認証情報入力手段（例えば、第２印刷装置２００の受話器）と、第２の認証情報をインターネット回線と公衆通信回線との少なくともいずれか一方の回線を介して第１印刷装置１００へ送信する認証情報送信手段（例えば、図３のステップＳ１３）と、第１印刷装置１００から受信した接続用認証情報に基づいて、インターネット回線により電子ファイルの保存サービスを受けるための通信を行うサービス提供手段（図５のステップＳ５５）と、を備えたことを特徴とする印刷システムとした。これにより、ユーザは、第２印刷装置２００を用いて、第１印刷装置１００と同様のサービスサーバ４００からの電子ファイルの保存サービスの提供を受けることができる。
【００９０】
（２）第１印刷装置１００から第２印刷装置２００へ送信される接続用認証情報は、第１印刷装置１００において利用可能な電子ファイルの保存サービスから第２印刷装置２００において利用可能な電子ファイルの保存サービスを制限する制限情報を含む。これにより、外出先のユーザが、第２印刷装置２００により利用できるサービスの数や内容を制限することができるため、セキュリティを高めることができる。
【００９１】
（３）第１印刷装置１００は、制限情報により制限される内容を変更可能とした。これにより、ユーザが外出先において必要なサービスに変更することができる。
【００９２】
（４）第１印刷装置１００は、第２印刷装置２００において提供された電子ファイルの保存サービスの、ユーザのＩＤ、利用日時、サービスサーバの名称、データ転送の区分及びデータの属性に関する情報のうち、少なくともひとつを含む情報を履歴として出力可能とした。これにより、第１印刷装置１００を利用して、外出先のユーザが利用したサービスの内容を知ることができる。
【００９３】
（５）第２印刷装置２００は、第１印刷装置１００から受信した接続用認証情報を、所定の条件に基づいて自動的に削除する。これにより、ユーザが外出先の第２印刷装置２００を使用した後に、ユーザが第２印刷装置２００に取得した接続用認証情報は自動的に削除されるので、セキュリティの高い印刷システムとすることができる。
【００９４】
（６）第２の認証情報は、公衆通信回線を介して取得したユーザの音声であり、ユーザ認証手段（図３のステップＳ１４）は、第１の認証情報（例えば、ユーザの音声データ）を照合対象としてユーザの音声を照合することで、接続用認証情報を利用可能なユーザを特定する。これにより、第１印刷装置１００が有する通話機能によりユーザの音声を取得できるので、簡単で確実にユーザを認証することができる。
【００９５】
（７）インターネット回線に接続可能なインターネット通信部１１０及び公衆通信回線に接続可能な公衆回線通信部１４０を有し、公衆通信回線により相互に接続される複数の印刷装置のうち、ユーザにより通常使用される印刷装置として設定された第１印刷装置１００と、複数の印刷装置のうち、第１印刷装置１００以外の第２印刷装置２００と、を備えた印刷装置であって、第１印刷装置１００は、インターネット回線を介して電子ファイルの保存サービスを提供する複数のサービスサーバ４００との接続を中継する中継サーバ３００へ接続するための接続用認証情報を記憶する接続用認証情報記憶手段（例えば、記憶部１３０）と、接続用認証情報を利用可能なユーザを特定するための第１の認証情報（例えば、ユーザの音声データ）を記憶する認証情報記憶手段（例えば、記憶部１３０）と、第１の認証情報と、第２印刷装置２００からインターネット回線と公衆通信回線との少なくともいずれか一方の回線を介して受信した第２の認証情報（例えば、ユーザの音声）とに基づいて、接続用認証情報を利用可能なユーザを特定するユーザ認証手段（図３のステップＳ１４）と、ユーザ認証手段により接続用認証情報を利用可能なユーザであると特定された場合、接続用認証情報をインターネット回線と公衆通信回線との少なくともいずれか一方の回線を介して第２印刷装置２００へ送信する接続用認証情報送信手段（図３のステップＳ２１）と、を備え、第２印刷装置２００は、ユーザにより第２の認証情報が入力される認証情報入力手段（例えば、第２印刷装置２００の受話器）と、第２の認証情報をインターネット回線と公衆通信回線との少なくともいずれか一方の回線を介して第１印刷装置１００へ送信する認証情報送信手段（例えば、図３のステップＳ１３）と、第１印刷装置１００から受信した接続用認証情報に基づいて、インターネット回線により電子ファイルの保存サービスを受けるための通信を行うサービス提供手段（図５のステップＳ５５）と、を備えたことを特徴とする印刷装置とした。これにより、これにより、ユーザは、第２印刷装置２００を用いて、第１印刷装置１００と同様のサービスサーバ４００からの電子ファイルの保存サービスの提供を受けることができる。
【符号の説明】
【００９６】
１００  第１印刷装置
１１０，３１０  インターネット通信部
１２０，３２０  制御部
１３０，３３０  記憶部
１４０  公衆回線通信部
１５０  表示部
１６０  印刷部
１７０  読取部
１８０  操作部
１９０  メモリカードコントローラ
２００  第２印刷装置
３００  中継サーバ
４００  サービスサーバ
【図１】
2012103972.tif 000003
【図２】
2012103972.tif 000004
【図３】
2012103972.tif 000005
【図４】
2012103972.tif 000006
【図５】
2012103972.tif 000007
【図６】
2012103972.tif 000008
【図７】
2012103972.tif 000009
【図８】
2012103972.tif 000010
【図９】
2012103972.tif 000011
【図１０】
2012103972.tif 000012
【図１１】
2012103972.tif 000013
【図１２】
2012103972.tif 000014
【図１３】
2012103972.tif 000015